(57)【要約】      （修正有）【課題】手で握る箇所に左右されず、安定性並びに安全性を有する杖の提供。【解決手段】使用者は把持部４における上辺４ａを手で握り、軸棒２の下端を地面に突くことで、使用者の歩行時における補助的役割を果たす。把持部４の上辺４ａに加えられた負荷は、両側辺４ｃから下辺４ｂを伝って軸棒２へ伝達し、その軸棒２の下端から地面に伝えられる。上辺４ａのある一定の箇所に大きな負荷が掛かった場合でも、把持部４が略四角形状となっているため、両側辺４ｃ並びに下辺４ｂを通じて軸棒２における軸方向へ負荷の全てが伝達され、バランスを保って杖全体の安定性・安全性が向上する。階段や坂の登りにおいては把持部４の進行方向側寄りを握り、逆に下りにおいては把持部４の進行方向と反対側寄りを握ることによって、より安定性が増す。【選択図】図１
0003113101.tif 000002
【実用新案登録請求の範囲】
【請求項１】
歩行時に使用する杖であって、軸棒と、該軸棒の上端に備えられる略四角形状の把持部と、からなることを特徴とする安全杖。
【請求項２】
歩行時に使用する杖であって、軸棒と、該軸棒の上端に備えられる上辺が下辺よりも長い略コの字形状の把持部と、からなることを特徴とする安全杖。
【請求項３】
歩行時に使用する杖であって、逆末広状に二本に分かれた軸棒と、該軸棒の上端にその二本に分かれた軸棒を繋ぐように備えられる略四角形状の把持部と、からなることを特徴とする安全杖。
【請求項４】
歩行時に使用する杖であって、逆末広状に二本に分かれた軸棒と、該軸棒の上端にその二本に分かれた軸棒を繋ぐように備えられる棒形状の把持部と、からなることを特徴とする安全杖。
【請求項５】
前記安全杖において、軸棒の下端に緩衝材を備えたことを特徴とする請求項１から請求項４のいずれかに記載の安全杖。
【考案の詳細な説明】
【技術分野】
【０００１】
本考案は、歩行時の補助具として使用する杖に関するものである。
【背景技術】
【０００２】
従来から、歩行を補助する道具として、図６（ａ）に示すようなＬ字型や図６（ｂ）に示すようなＴ字型の杖が存在している。かかる杖は、高齢のために足腰が弱ってきたお年寄りの人たちにとって必需品ともいうべきものであり、また、軽く脚を怪我した人やその他の理由で歩行がおぼつかない人にとっても非常に重宝されるなど、多くの人たちの役に立ち、今日において無くてはならないものとなっている。
【０００３】
しかしながら、かかる従来の杖は、歩行を補助するものとして多くの人に役立っている反面、使用者に思わぬ事故をもたらす場合もある。そのほとんどは転倒事故であり、それは杖が有する不安定性に由来する。すなわち杖は、それを使用する者の三番目の脚として機能するものであり、本来の脚に代わって使用者の体重の一部を負担するものであるが、かかる杖の把持部において手で握られる場所が悪いと、その箇所に体重による負荷が掛かった際にバランスを失って、杖としての機能を果たさなくなることが転倒事故の原因である。したがって、今日において、手で握る箇所に左右されない、安定性を備えた杖が待望されているところである。
【考案の開示】
【考案が解決しようとする課題】
【０００４】
上記問題点に鑑み、本考案は、手で握る箇所に左右されず、比較的安定性を有する安全な杖を提供することを目的とする。
【課題を解決するための手段】
【０００５】
前記目的を達成するため、本考案は、軸棒と、該軸棒の上端に備えられる略四角形状の把持部とからなる構造となっている。
【０００６】
また、本考案は、軸棒と、該軸棒の上端に備えられる上辺が下辺よりも長い略コの字形状の把持部とからなる構造とすることもできる。
【０００７】
さらに、本考案は、逆末広状に二本に分かれた軸棒と、該軸棒の上端にその二本に分かれた軸棒を繋ぐように備えられる略四角形状の把持部とからなる構造を採ることもできる。
【０００８】
またさらに、本考案は、逆末広状に二本に分かれた軸棒と、該軸棒の上端にその二本に分かれた軸棒を繋ぐように備えられる棒形状の把持部とからなる構造を採用することもできる。
【０００９】
そしてまた、本考案は、前記各安全杖において、軸棒の下端に緩衝材を備えた構成とすることができる。
【考案の効果】
【００１０】
本考案にかかる安全杖によれば、より安全で使い勝手の良い杖を提供することができる。すなわち、把持部における手で握る箇所の違いに左右されず、把持部の様々な箇所へ体重の負荷を掛けた場合であっても、軸棒において必ず軸方向へ一定に力が加わることとなるため、バランスを失うことなく、転倒事故の減少に資する効果を奏する。
【考案を実施するための最良の形態】
【００１１】
本考案にかかる安全杖１は、把持部４の様々な箇所へ体重の負荷を掛けた場合であっても、軸棒２において必ず軸方向へ一定に力が加わる構造となっていることを最大の特徴とする。以下、本考案にかかる安全杖１を、図面に基づいて説明する。
【００１２】
図１は、本考案にかかる安全杖１の第一の実施形態を示す斜視図である。該安全杖１は、軸棒２と、該軸棒２の上端に備えられる略四角形状の把持部４と、から構成されている。
【００１３】
軸棒２の材質については特に限定はないが、杖として手で持ち上げることとなるため、アルミ等の軽量金属による金属製や軽量木材を使用した木製など、軽量材質によることが望ましい。ただし、該軸棒２には体重の一部が負荷として掛かるため、その負荷に耐え得ることが必要である。また、該軸棒２の形状についても、棒状であれば円柱形状や多角柱形状等、特に限定はない。
【００１４】
尚、上記軸棒２の下端には、図面に示す通り、緩衝材３を備えることが望ましい。かかる緩衝材３を備えることにより、軸棒２が地面と接地する際の把持部４への振動伝達を和らげ、また、軸棒２下端のキズを防止し、さらに、スベリ止めの役割を果たすこととなる。
【００１５】
かかる軸棒２の上端には、図面に示す通り、略四角形状の把持部４が備えられている。該把持部４の材質については特に限定はないが、上記同様、杖として手で持ち上げることとなるため、アルミ等の軽量金属による金属製や軽量木材を使用した木製など、軽量材質によることが望ましい。また、該把持部４の形状は、全体として略四角形状となっている。
【００１６】
かかる略四角形状の把持部４における上辺４ａは、杖として実際に使用する際に使用者の手に握られる箇所であり、該把持部４における下辺４ｂは、その中央箇所が軸棒２の上端に繋げられている。そして、かかる上辺４ａと下辺４ｂとが側辺４Ｃによって繋がれ、全体として略四角形状となっている。これら上辺４ａや下辺４ｂ、側辺４Ｃの形状については、円柱形状や多角柱形状等の棒状であって、特に限定はない。
【００１７】
尚、上記把持部４の形状については、単純な四角形状とするだけではなく、手で握る状態を考慮して、図５に例示するような形状とすることが考えられる。すなわち、図５（ａ）は上辺４ａを上方へ反らせた形状とした場合、図５（ｂ）は逆に該上辺４ａを下方へ反らせた形状とした場合、図５（ｃ）は該上辺４ａの内側を波形状とした場合を示している。また、これらの形状とするほか、該上辺４ａにおける所定箇所を、ゴムや布地などのカバー部材で被覆することも可能である。
【００１８】
上記構成からなる第一の実施形態にかかる安全杖１を実際に使用する際、使用者は把持部４における上辺４ａを手で握り、あとは通常の杖と同様に軸棒２の下端を地面に突くことで、使用者の歩行時における補助的役割を果たすこととなる。そのとき、該把持部４の上辺４ａに加えられた負荷は、両側辺４ｃから下辺４ｂを伝って軸棒２へ伝達し、その軸棒２の下端から地面に伝えられる。その際に上辺４ａのある一定の箇所に大きな負荷が掛かった場合であっても、把持部４が略四角形状となっているため、両側辺４ｃ並びに下辺４ｂを通じてきちんと軸棒２における軸方向へ負荷の全てが伝達されることとなり、バランスを保って杖全体の安定性・安全性が向上する。尚、階段や坂の登りにおいては把持部４の進行方向側寄りを握り、逆に下りにおいては把持部４の進行方向と反対側寄りを握ることによって、より安定性が増すこととなる。
【００１９】
図２は、本考案にかかる安全杖１の第二の実施形態を示す斜視図である。該安全杖１は、軸棒２と、該軸棒２の上端に備えられる上辺４ａが下辺４ｂよりも長い略コの字形状の把持部４と、から構成されている。
【００２０】
軸棒２の材質については、上記第一の実施形態と同様に特に限定はなく、軽量材質によることが望ましい。また、該軸棒２の形状についても同様、棒状であれば特に限定はない。さらに、該軸棒２の下端に緩衝材３を備えることが望ましいことも同様である。
【００２１】
かかる軸棒２の上端には、図面に示す通り、上辺４ａが下辺４ｂよりも長い略コの字形状の把持部４が備えられている。該把持部４の材質については、上記第一の実施形態と同様に特に限定はなく、軽量材質によることが望ましい。また、該把持部４の形状は、全体として上辺４ａが下辺４ｂよりも長い略コの字形状となっている。
【００２２】
かかる略コの字形状の把持部４における上辺４ａは、杖として実際に使用する際に使用者の手に握られる箇所であり、該把持部４における下辺４ｂは、その端部が軸棒２の上端に繋げられている。そして、かかる上辺４ａと下辺４ｂとが側辺４Ｃによって繋がれ、全体として上辺４ａが下辺４ｂよりも長い略コの字形状となっている。これら上辺４ａや下辺４ｂ、側辺４Ｃの形状については、円柱形状や多角柱形状等の棒状であって、特に限定はない。
【００２３】
尚、上記把持部４の形状については、単純な略コの字形状とするだけではなく、手で握る状態を考慮して、第一の実施形態と同様に、種々の形状とすることが考えられる。すなわち、上辺４ａを上方へ反らせた形状や、逆に該上辺４ａを下方へ反らせた形状、該上辺４ａの内側を波形状とすることなどが考え得る。また、これらの形状とするほか、該上辺４ａにおける所定箇所を、ゴムや布地などのカバー部材で被覆することも可能である。
【００２４】
上記構成からなる第二の実施形態にかかる安全杖１を実際に使用する際、使用者は把持部４における上辺４ａを手で握り、あとは通常の杖と同様に軸棒２の下端を地面に突くことで、使用者の歩行時における補助的役割を果たすこととなる。そのとき、該把持部４の上辺４ａに加えられた負荷は、側辺４ｃから下辺４ｂを伝って軸棒２へ伝達し、その軸棒２の下端から地面に伝えられる。その際に上辺４ａのある一定の箇所に大きな負荷が掛かった場合であっても、把持部４が上辺４ａが下辺４ｂよりも長い略コの字形状となっているため、側辺４ｃ並びに下辺４ｂを通じてきちんと軸棒２における軸方向へ負荷の全てが伝達されることとなり、バランスを保って杖全体の安定性・安全性が向上する。尚、階段や坂の登りにおいては把持部４の進行方向側寄りを握り、逆に下りにおいては把持部４の進行方向と反対側寄りを握ることでより安定性が増すこととなるのは、上記第一の実施形態と同様である。
【００２５】
図３は、本考案にかかる安全杖１の第三の実施形態を示す斜視図である。該安全杖１は、逆末広状に二本に分かれた軸棒２と、該軸棒２の上端にその二本に分かれた軸棒２を繋ぐように備えられる略四角形状の把持部４と、から構成されている。
【００２６】
軸棒２の材質については、上記第一及び第二の実施形態と同様に特に限定はなく、軽量材質によることが望ましい。また、該軸棒２の形状についても同様、棒状であれば特に限定はない。さらに、該軸棒２の下端に緩衝材３を備えることが望ましいことも同様である。
【００２７】
かかる軸棒２は、図面に示す通り、下端から上端へ逆末広状に二本に分かれ、その上端には、二本に分かれた軸棒２を繋ぐように略四角形状の把持部４が備えられている。尚、中間位置における二本に分かれた軸棒２の間には、図面に示すように支持部材２ａを配置して、軸棒２の強度を増すことが可能である。把持部４の材質については、上記第一及び第二の実施形態と同様に特に限定はなく、軽量材質によることが望ましい。また、該把持部４の形状は、全体として略四角形状となっている。
【００２８】
かかる略四角形状の把持部４における上辺４ａは、杖として実際に使用する際に使用者の手に握られる箇所であり、該把持部４における下辺４ｂは、その両端部が二本に分かれた軸棒２の上端に繋げられている。そして、かかる上辺４ａと下辺４ｂとが側辺４Ｃによって繋がれ、全体として略四角形状となっている。これら上辺４ａや下辺４ｂ、側辺４Ｃの形状については、円柱形状や多角柱形状等の棒状であって、特に限定はない。
【００２９】
尚、上記把持部４の形状については、単純な四角形状とするだけではなく、手で握る状態を考慮して、第一の実施形態と同様に、図５に例示するような形状とすることが考えられる。すなわち、上辺４ａを上方へ反らせた形状や、逆に該上辺４ａを下方へ反らせた形状、該上辺４ａの内側を波形状とすることなどが考え得る。また、これらの形状とするほか、該上辺４ａにおける所定箇所を、ゴムや布地などのカバー部材で被覆することも可能である。
【００３０】
上記構成からなる第三の実施形態にかかる安全杖１を実際に使用する際、使用者は把持部４における上辺４ａを手で握り、あとは通常の杖と同様に軸棒２の下端を地面に突くことで、使用者の歩行時における補助的役割を果たすこととなる。そのとき、該把持部４の上辺４ａに加えられた負荷は、両側辺４ｃから下辺４ｂを伝って二本に分かれた軸棒２へ伝達し、その二本が一つにまとまった軸棒２の下端から地面に伝えられる。その際に上辺４ａのある一定の箇所に大きな負荷が掛かった場合であっても、把持部４が略四角形状となっており、かつ、軸棒２が二本に分かれているため、両側辺４ｃ並びに下辺４ｂを通じてきちんと二本の軸棒２における軸方向へ負荷の全てが伝達されることとなり、バランスを保って杖全体の安定性・安全性が向上する。尚、階段や坂の登りにおいては把持部４の進行方向側寄りを握り、逆に下りにおいては把持部４の進行方向と反対側寄りを握ることでより安定性が増すこととなるのは、上記第一及び第二の実施形態と同様である。
【００３１】
図４は、本考案にかかる安全杖１の第四の実施形態を示す斜視図である。該安全杖１は、逆末広状に二本に分かれた軸棒２と、該軸棒２の上端にその二本に分かれた軸棒２を繋ぐように備えられる棒形状の把持部４と、から構成されている。
【００３２】
軸棒２の材質については、上記第一から第三の実施形態と同様に特に限定はなく、軽量材質によることが望ましい。また、該軸棒２の形状についても同様、棒状であれば特に限定はない。さらに、該軸棒２の下端に緩衝材３を備えることが望ましいことも同様である。
【００３３】
かかる軸棒２は、図面に示す通り、下端から上端へ逆末広状に二本に分かれ、その上端には、二本に分かれた軸棒２を繋ぐように棒形状の把持部４が備えられている。尚、中間位置における二本に分かれた軸棒２の間には、図面に示すように支持部材２ａを配置して、軸棒２の強度を増すことが可能である。把持部４の材質については、上記第一から第三の実施形態と同様に特に限定はなく、軽量材質によることが望ましい。また、該把持部４の形状は、全体として棒形状となっている。
【００３４】
かかる棒形状の把持部４は、その中間位置が杖として実際に使用する際に使用者の手に握られる箇所であり、該把持部４の両端部が二本に分かれた軸棒２の上端に繋げられ、把持部４全体として一本の棒形状となっている。かかる把持部４の形状については、円柱形状や多角柱形状等の棒状であって、特に限定はない。
【００３５】
尚、上記把持部４の形状については、単純な棒形状とするだけではなく、手で握る状態を考慮して、第一の実施形態と同様に、種々の形状とすることが考えられる。すなわち、把持部４を上方へ反らせた形状や、逆に該把持部４を下方へ反らせた形状、該把持部４の内側を波形状とすることなどが考え得る。また、これらの形状とするほか、該上辺４ａにおける所定箇所を、ゴムや布地などのカバー部材で被覆することも可能である。
【００３６】
上記構成からなる第四の実施形態にかかる安全杖１を実際に使用する際、使用者は把持部４を手で握り、あとは通常の杖と同様に軸棒２の下端を地面に突くことで、使用者の歩行時における補助的役割を果たすこととなる。そのとき、該把持部４に加えられた負荷は、そのまま二本に分かれた軸棒２へ伝達し、その二本が一つにまとまった軸棒２の下端から地面に伝えられる。その際に把持部４のある一定の箇所に大きな負荷が掛かった場合であっても、把持部４が棒形状であって、かつ、軸棒２が二本に分かれているため、把持部４の両端からきちんと二本の軸棒２における軸方向へ負荷の全てが伝達されることとなり、バランスを保って杖全体の安定性・安全性が向上する。尚、階段や坂の登りにおいては把持部４の進行方向側寄りを握り、逆に下りにおいては把持部４の進行方向と反対側寄りを握ることでより安定性が増すこととなるのは、上記第一から第三の実施形態と同様である。
【産業上の利用可能性】
【００３７】
本考案にかかる安全杖１は、一般的に杖を必要とする足腰の弱った人にとって有効であるのみならず、登山やトレッキング、ハイキング等において使用する杖としても使い勝手が良く、非常に効果的である。
【図面の簡単な説明】
【００３８】
【図１】本考案にかかる安全杖の第一の実施形態を示す斜視図である。
【図２】本考案にかかる安全杖の第二の実施形態を示す斜視図である。
【図３】本考案にかかる安全杖の第三の実施形態を示す斜視図である。
【図４】本考案にかかる安全杖の第四の実施形態を示す斜視図である。
【図５】本考案にかかる安全杖の把持部の実施例を示す説明図である。
【図６】従来の杖を示す斜視図である。
【符号の説明】
【００３９】
１    安全杖
２    軸棒
２ａ  支持部材
３    緩衝材
４    把持部
４ａ  上辺
４ｂ  下辺
４ｃ  側辺
１１    従来の杖
【図１】
0003113101.tif 000003
【図２】
0003113101.tif 000004
【図３】
0003113101.tif 000005
【図４】
0003113101.tif 000006
【図５】
0003113101.tif 000007
【図６】
0003113101.tif 000008